(57)【特許請求の範囲】
【請求項１】
映像信号を表示する表示装置において、
デジタル信号転送バスと該デジタル信号転送バスよりも伝送速度が小さいＤＤＣバスとを含みＤＶＩ規格あるいはＨＤＭＩ規格に準じた伝送路に接続する手段と、前記デジタル信号転送バスを介して映像信号を受信すると共に、前記ＤＤＣバスを介してＨＤＣＰ認証要求を受信する受信手段と、前記映像信号の受信前の前記ＨＤＣＰ認証要求に伴う前記ＤＤＣバスへのアクセスを監視する監視手段とを備え、
該監視手段により前記ＤＤＣバスへのアクセスが検知された場合、前記受信手段への電力供給を開始し、前記ＤＤＣバスへのアクセスが所定時間検知されない場合、前記受信手段への電力供給を停止あるいは制限することを特徴とする表示装置。
【請求項２】
請求項１に記載の表示装置において、前記受信手段は、前記ＤＤＣバスへのアクセスが検知され、電力供給が開始された場合、前記ＨＤＣＰ認証要求に基づいた前記表示装置の認証処理後に、前記デジタル信号転送バスを介して映像信号を受信することを特徴とする表示装置。
【請求項３】
映像信号を出力する出力装置と、映像信号を表示する表示装置と、デジタル信号転送バスと該デジタル信号転送バスよりも伝送速度が小さいＤＤＣバスとを含みＤＶＩ規格あるいはＨＤＭＩ規格に準じた伝送路とを備え、前記出力装置と前記表示装置とが前記伝送路を介して接続された表示システムにおいて、
前記出力装置は、前記デジタル信号転送バスを介して映像信号を送信すると共に、前記ＤＤＣバスを介してＨＤＣＰ認証要求を送信する送信手段を備え、
前記表示装置は、前記デジタル信号転送バスを介して映像信号を受信すると共に、前記ＤＤＣバスを介してＨＤＣＰ認証要求を受信する受信手段と、前記映像信号の受信前の前記ＨＤＣＰ認証要求に伴う前記ＤＤＣバスへのアクセスを監視する監視手段とを備え、
該監視手段により前記ＤＤＣバスへのアクセスが検知された場合、前記受信手段への電力供給を開始し、前記ＤＤＣバスへのアクセスが所定時間検知されない場合、前記受信手段への電力供給を停止あるいは制限することを特徴とする表示システム。
【請求項４】
請求項３に記載の表示システムにおいて、前記出力装置は、前記表示装置により前記ＤＤＣバスへのアクセスが検知され、前記受信手段への電力供給が開始された場合、前記ＨＤＣＰ認証要求に基づいた前記表示装置の認証処理後に、前記デジタル信号転送バスを介して映像信号を送信することを特徴とする表示システム。
【発明の詳細な説明】
【技術分野】
【０００１】
本発明は、表示装置及び表示システム、より詳細には、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）等のデジタルインタフェースによりＤＶＤ再生装置などの出力機器と接続可能な表示装置及び該装置を備えた表示システムに関する。
【背景技術】
【０００２】
従来、コンピュータ本体とディスプレイとの間で、デジタル化された映像信号を高速に伝送するためのインタフェースとして、ＤＶＩ（Ｄｉｇｉｔａｌ  Ｖｉｓｕａｌ  Ｉｎｔｅｒｆａｃｅ）規格が知られている。また、このＤＶＩをさらに発展させたＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）というデジタル接続規格が知られている。これは、ＴＶ放送デジタル化、表示デバイスの平面パネルへの切り替えといった変化に対応して、家庭内においてＳＴＢ（Ｓｅｔ  Ｔｏｐ  Ｂｏｘ）等の出力機器とディスプレイ間をデジタル接続することを目的としている。
【０００３】
このＨＤＭＩにおいては、オーディオ信号およびコントロール信号を伝送する機能が追加され、ＴＶ用途の要求を満足するようになっている。従来は機器間の接続に、ビデオ、オーディオ、コントロールの各信号用に複数のケーブルを用いていたが、ＨＤＭＩケーブル１本で済み、コントロール信号は双方向の伝送に対応しているため、例えばモニタからＨＤＭＩで接続されたＳＴＢやＤＶＤプレーヤ等の出力機器にコントロール信号を中継することによって、一つのリモコンでＡＶシステム（ホームシアタなど）全体を操作することも可能となる。
【０００４】
このように、コンテンツがデジタル伝送されるようになると複製防止がより重要となってくる。このため、ＨＤＭＩでは不正コピー防止機能として、ＨＤＣＰ（Ｈｉｇｈ−ｂａｎｄｗｉｄｔｈ  Ｄｉｇｉｔａｌ  Ｃｏｎｔｅｎｔｓ  Ｐｒｏｔｅｃｔｉｏｎ）を採用し、不正コピーを防止している。
【０００５】
さらに、ＨＤＭＩには、ユーザの利便性を考慮して、コネクタの小型化、取り扱いの簡略化などの工夫が盛り込まれている。例えば、動作中でもケーブルの抜き差しを可能とするホットプラグ機能や、自動的に最適な画面解像度が設定されるＤＤＣ／ＣＩ（Ｄｉｓｐｌａｙ  Ｄａｔａ  Ｃｈａｎｎｅｌ／Ｃｏｍｍａｎｄ  Ｉｎｔｅｒｆａｃｅ）機能などが規定され、異なるメーカの製品同士においても特別な知識なしに接続することができる。
【０００６】
例えば、特許文献１や特許文献２には、前述のＤＶＩ規格あるいはＨＤＭＩ規格のインタフェースによりＤＶＤプレーヤ等の出力機器と接続し、該出力機器からの映像信号を受信・表示するためのシステムが記載されている。
【０００７】
図３は、特許文献１に記載の従来の送受信システムの構成例を示すブロック図である。図中、送受信システムは、送信装置１０５と受信装置２０６とを備えている。送受信システムのうち、送信装置１０５は、ＤＶＤなどの記録媒体１０３に記録された映像データを読み出して、デジタル映像信号として送信するための送信側処理装置１００の一部である。また、受信装置２０６は、送信側処理装置１００から受信したデジタル映像信号を表示する表示装置２００の一部であり、例えば単一のＬＳＩの形で供給される。
【０００８】
送信側処理装置１００と表示装置２００とは、ＤＶＩ規格に準拠した伝送路３００によって互いに接続されている。ここで、送信側処理装置１００は、例えばパーソナルコンピュータやＤＶＤプレーヤなどの出力機器であり、表示装置２００は、例えばテレビジョン受像機や液晶モニタなどの表示機器である。
【０００９】
送信側処理装置１００は、第１のデバイス鍵１０２を保持する第１のメモリと、送信制御手段１０４と、記録媒体１０３に記録された映像信号を処理するための送信データ処理手段１０１と、送信制御手段１０４及び送信データ処理手段１０１とそれぞれ接続され、映像信号を暗号化して送信するための送信装置１０５とを備える。
【００１０】
送信装置１０５は、送信制御手段１０４と接続され、映像信号を暗号化するための暗号化制御手段１０５ｃと、送信データ処理手段１０１と接続されたデータ暗号化手段１０５ｂと、データ暗号化手段１０５ｂと接続され、伝送路３００のうち高速バス３０１を介して表示装置２００へ暗号化された映像信号を出力するデータ送信手段１０５ａとを備える。
【００１１】
一方、表示装置２００は、暗号化された映像信号を受けて該映像信号を復号するための受信装置２０６と、第２のデバイス鍵２０４を保持する第２のメモリと、受信側情報２０５を保持する第３のメモリと、第２のメモリと第３のメモリと接続された受信制御手段２０３と、受信装置２０６で復号された映像信号を処理する受信データ処理手段２０１と、受信データ処理手段２０１で処理された映像信号を表示するための表示パネル２０２とを備えている。なお、第３のメモリは、伝送路３００のうち低速バス３０２を介して送信制御手段１０４と接続される。
【００１２】
また、受信側情報２０５は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）を含む。特に、現在のＤＶＩ規格あるいはＨＤＭＩ規格を用いる場合、ＥＤＩＤが受信側情報２０５となる。このＥＤＩＤは、表示装置２００が処理可能な信号の種類についての情報や、表示パネル２０２の解像度などの情報、ピクセルクロック、水平有効期間、垂直有効期間などの情報を含むものとする。
【００１３】
受信装置２０６は、高速バス３０１を介して暗号化された映像信号を受信するためのデータ受信手段２０６ａと、受信制御手段２０３と接続された復号化制御手段２０６ｃと、データ受信手段２０６ａと接続され、暗号化された映像信号を復号するデータ復号化手段２０６ｂとを備えている。
【００１４】
上述したような受信装置２０６と送信装置１０５を主要部とする従来の送受信システムの動作について、ＤＶＤなどの記録媒体１０３に記録されている映像データを表示パネル２０２に表示する場合を例に説明する。
【００１５】
まず、記録媒体１０３に記録されている映像データは、送信データ処理手段１０１で所定の信号処理が施される。例えば、送信データ処理手段１０１は、記録媒体１０３に圧縮された状態で記録された映像データをデコードする処理を行う。
【００１６】
次に、送信データ処理手段１０１から送られた映像信号は、データ暗号化手段１０５ｂで前述のＨＤＣＰを用いて暗号化される。ここで暗号化された映像信号は、データ送信手段１０５ａに送られ、データ送信手段１０５ａは暗号化された映像信号を高速バス３０１へ送出する。なお、ＤＶＩ規格においては、ＴＭＤＳ（Ｔｒａｓｉｔｉｏｎ  Ｍｉｎｉｍｉｚｅｄ  Ｄｉｆｆｅｒｅｎｔｉａｌ  Ｓｉｇｎａｌｓ）と呼ばれる方式で伝送される。高速バス３０１は、シリアル伝送路であり、赤、緑、青のチャンネル毎の伝送路と、クロックの伝送路とが設けられている。赤、緑、青に分解された映像信号は伝送路内をベースバンド信号で伝送される。
【００１７】
なお、高速バス３０１の最大転送速度は、チャンネル毎に約７５０Ｍｂｉｔ／ｓｅｃ以上とされている。また、ＴＭＤＳ方式では差動信号が用いられるため、ノイズや信号の歪みに対する耐性が高くなっている。
【００１８】
次に、データ受信手段２０６ａは、高速バス３０１を介して暗号化された映像信号を受信し、この映像信号をデータ復号化手段２０６ｂに送出する。次に、暗号化された映像信号はデータ復号化手段２０６ｂで復号され、元の映像信号に復元される。その後、復元された映像信号は、受信データ処理手段２０１に送られる。受信データ処理手段２０１において所定の信号処理が施された後、表示パネル２０２から映像表示される。この受信データ処理手段２０１は、例えば、階調補正や、水平・垂直走査周期に応じた表示パネル２０２への信号出力の最適化などの処理を行う。
【００１９】
ＤＶＩ規格では、プラグアンドプレイ機能が実現されており、使用する表示パネルの解像度に合わせて映像信号の伝送を行う。このプラグアンドプレイを実現するために、伝送路３００には低速バス３０２が設けられている。低速バス３０２は、ＤＤＣ（Ｄｉｓｐｌａｙ  Ｄａｔａ  Ｃｈａｎｎｅｌ）と呼ばれ、双方向バスであるＩ２Ｃバスなどが採用される。このＩ２Ｃバスは、最大転送クロック周波数１００ｋＨｚの低速なシリアルバスである。この低速バス３０２を介して、受信側情報（ＥＤＩＤ）２０５を送信制御手段１０４が取得し、プラグアンドプレイ機能を実現する。
【００２０】
また、低速バス３０２は、ＨＤＣＰの認証処理にも利用される。ＨＤＣＰでは、受信機器が不正な機器でないことを認証した後、暗号化伝送を開始する。この認証処理に必要な情報は低速バス３０２を介して伝送される。
【００２１】
受信制御手段２０３は、復号化制御手段２０６ｃを制御して、第２のデバイス鍵２０４を用いて所定の手順で演算を行う。得られた演算結果は、低速バス３０２を介して送信制御手段１０４へ伝送される。送信制御手段１０４は、暗号化制御手段１０５ｃを制御して、第１のデバイス鍵１０２を用いて所定の手順で演算を行う。得られた演算結果と受信制御手段２０３からの演算結果とから、受信（表示）機器が不正な機器でないことを確認する。受信制御手段２０３と送信制御手段１０４には、例えばマイコンなどが使用される。
【特許文献１】特開２００５−５１５５８号公報
【特許文献２】実用新案登録第３１１２３９２号公報
【発明の開示】
【発明が解決しようとする課題】
【００２２】
上述したＨＤＭＩ／ＤＶＩ対応機器を含む表示装置の中には、待機時などにおける電力消費を低減することを目的としたパワーマネジメント（電源管理）機能を備えたものがある。このパワーマネジメント機能によれば、例えば、ＰＣと表示装置がデジタル接続された状態で、表示装置側でＰＣからの信号が検出されなくなると、表示装置の電源を自動的に落とすなどの制御を行うことができる。
【００２３】
しかしながら、従来、ＨＤＭＩ／ＤＶＩ等のデジタル接続時において、パワーマネジメント機能を実行する場合、デジタル信号の検出のために、表示装置内の受信手段（ＴＭＤＳレシーバ）の電源を常時オンにしておく必要があった。このＴＭＤＳレシーバはＩＣチップなどで構成されるため、これに常時電力を供給しておくことは消費電力も大きくなり、省エネの観点から好ましくない。
【００２４】
本発明は、上述のごとき実情に鑑みてなされたものであり、ＨＤＭＩ／ＤＶＩ等のデジタル接続時において、ＤＤＣバスなどの低速バスへのアクセスを監視し、低速バスへのアクセスの有無に応じて、受信手段（ＴＭＤＳレシーバ）への電力供給を制御できるようにした表示装置及び該装置を備えた表示システムを提供すること、を目的とする。
【課題を解決するための手段】
【００２５】
上記課題を解決するために、本発明の第１の技術手段は、映像信号を表示する表示装置において、デジタル信号転送バスと該デジタル信号転送バスよりも伝送速度が小さいＤＤＣバスとを含みＤＶＩ規格あるいはＨＤＭＩ規格に準じた伝送路に接続する手段と、前記デジタル信号転送バスを介して映像信号を受信すると共に、前記ＤＤＣバスを介してＨＤＣＰ認証要求を受信する受信手段と、前記映像信号の受信前の前記ＨＤＣＰ認証要求に伴う前記ＤＤＣバスへのアクセスを監視する監視手段とを備え、該監視手段により前記ＤＤＣバスへのアクセスが検知された場合、前記受信手段への電力供給を開始し、前記ＤＤＣバスへのアクセスが所定時間検知されない場合、前記受信手段への電力供給を停止あるいは制限することを特徴としたものである。
【００２７】
第２の技術手段は、第１の技術手段において、前記受信手段は、前記ＤＤＣバスへのアクセスが検知され、電力供給が開始された場合、前記ＨＤＣＰ認証要求に基づいた前記表示装置の認証処理後に、前記デジタル信号転送バスを介して映像信号を受信することを特徴としたものである。
【００２９】
第３の技術手段は、映像信号を出力する出力装置と、映像信号を表示する表示装置と、デジタル信号転送バスと該デジタル信号転送バスよりも伝送速度が小さいＤＤＣバスとを含みＤＶＩ規格あるいはＨＤＭＩ規格に準じた伝送路とを備え、前記出力装置と前記表示装置とが前記伝送路を介して接続された表示システムにおいて、前記出力装置は、前記デジタル信号転送バスを介して映像信号を送信すると共に、前記ＤＤＣバスを介してＨＤＣＰ認証要求を送信する送信手段を備え、前記表示装置は、前記デジタル信号転送バスを介して映像信号を受信すると共に、前記ＤＤＣバスを介してＨＤＣＰ認証要求を受信する受信手段と、前記映像信号の受信前の前記ＨＤＣＰ認証要求に伴う前記ＤＤＣバスへのアクセスを監視する監視手段とを備え、該監視手段により前記ＤＤＣバスへのアクセスが検知された場合、前記受信手段への電力供給を開始し、前記ＤＤＣバスへのアクセスが所定時間検知されない場合、前記受信手段への電力供給を停止あるいは制限することを特徴としたものである。
【００３１】
第４の技術手段は、第３の技術手段において、前記出力装置は、前記表示装置により前記ＤＤＣバスへのアクセスが検知され、前記受信手段への電力供給が開始された場合、前記ＨＤＣＰ認証要求に基づいた前記表示装置の認証処理後に、前記デジタル信号転送バスを介して映像信号を送信することを特徴としたものである。
【発明の効果】
【００３３】
本発明によれば、ＨＤＭＩ／ＤＶＩ等のデジタル接続時において、ＤＤＣバスなどの低速バスへのアクセスを監視し、低速バスへのアクセスの有無に応じて、受信手段（ＴＭＤＳレシーバ）への電力供給を制御できるため、待機時などにおいて受信手段に電源を入れておかなくてもよく、消費電力を低減して省エネ化を図ることができる。
【発明を実施するための最良の形態】
【００３４】
以下、添付図面を参照しながら、本発明に係る表示装置及び該装置を備えた表示システムの好適な実施形態について説明する。
【００３５】
図１は、本発明の一実施形態に係る表示システムの構成例を示すブロック図で、図中、１０は表示装置、２０は出力装置、３０はデジタル伝送路を示す。表示装置１０は、出力装置２０とデジタル伝送路３０を介してデジタル接続される。表示装置１０は、映像・音声信号を受け取る側の機器で、例えば、ＬＣＤ，ＰＤＰなどの薄型表示パネルを備えたテレビジョン受像機や、プロジェクタなどのデジタル接続可能な表示機器全般が対象となる。また、出力機器２０は、映像・音声信号を供給する側の機器で、例えば、ＳＴＢ、ＤＶＤプレーヤ、デジタルビデオカメラなどのデジタル接続可能な出力機器全般が対象となる。デジタル伝送路３０は、前述したＨＤＭＩ規格あるいはＤＶＩ規格などに準じたデジタルインタフェース（以下、ＨＤＭＩケーブル３０という）である。
【００３６】
表示装置１０及び出力装置２０ともに、ＨＤＭＩケーブル３０を接続するための手段（それぞれＨＤＭＩコネクタ１１，２１）を備え、相互にデジタル接続可能とする。このＨＤＭＩケーブル３０は、デジタル信号である映像・音声信号を高速に伝送するための高速バスである本発明の第１のバスに相当するデジタル信号転送バス３１と、デジタル信号転送バス３１よりも伝送速度が小さい低速バスである本発明の第２のバスに相当するＤＤＣバス３２とを備えて構成される。このＤＤＣバス３２は、ＨＤＣＰ認証等に利用されるバスで双方向通信を可能とする。
【００３７】
出力装置２０は、ＨＤＭＩケーブル３０を接続するためのＨＤＭＩコネクタ２１と、デジタル信号転送バス３１を介して映像・音声信号を送信すると共に、ＤＤＣバス３２を介してＨＤＣＰの認証要求を送信する本発明の送信手段に相当するＴＭＤＳトランスミッタ２２と、ＤＶＤなどの記録媒体２５に記録されている圧縮映像信号をデコードする等の所定の信号処理を施す映像処理部２３と、出力装置２０の全体動作を制御するためのＣＰＵ２４と、を備えて構成される。
【００３８】
ＴＭＤＳトランスミッタ２２は、前述の図３に示した送信装置１０５に相当し、映像・音声信号を暗号化した上でＨＤＭＩコネクタ２１を介してＨＤＭＩケーブル３０に送出する。出力機器２０は、ＨＤＣＰ認証により表示装置１０が不正な機器でないことを認証した後、初めて上記暗号化送信を行うように制御される。ＨＤＣＰ認証時には、出力装置２０が表示装置１０のメモリにＤＤＣバス３２を介して自由にアクセスして、ＨＤＣＰ認証に必要な情報を取得することができる。すなわち、ＨＤＣＰ認証に必要な情報は、表示装置１０のメモリ内に保持されており、出力装置２０からの認証要求に従って、表示装置１０のメモリ内から当該情報が読み出され、ＤＤＣバス３２を介してＴＭＤＳトランスミッタ２２に送信される。
【００３９】
そして、ＣＰＵ２４は、上記のＨＤＣＰ認証に必要な情報に基づいて、表示装置１０の認証処理を実行し、表示装置１０が適正であると認証された場合、ＴＭＤＳトランスミッタ２２を制御して、映像・音声信号を暗号化してデジタル信号転送バス３１に送出する。
【００４０】
また、表示装置１０は、ＨＤＭＩケーブル３０を接続するためのＨＤＭＩコネクタ１１と、デジタル信号伝送バス３１を介して映像・音声信号を受信すると共に、ＤＤＣバス３２を介してＨＤＣＰの認証要求を受信する本発明の受信手段に相当するＴＭＤＳレシーバ１２と、受信した映像信号に対して階調補正や、水平・垂直走査周期に応じた後述の表示部１７への信号出力の最適化などの所定の信号処理を施す映像処理部１３と、表示装置１０の全体動作を制御するためのＣＰＵ１４と、ＨＤＣＰ認証に必要な情報などを保持するフラッシュメモリやＥＥＰＲＯＭなどのメモリ１５と、ＨＤＣＰ認証に伴うＤＤＣバス３２へのアクセスを監視するアクセス監視手段１６と、ＬＣＤ（液晶ディスプレイ）などの表示部１７と、を備えて構成される。
【００４１】
ＴＭＤＳレシーバ１２は、前述の図３に示した受信装置２０６に相当し、暗号化された映像・音声信号を受信・復号し、元の映像・音声信号に復元する処理を行う。また、メモリ１５には、ＨＤＣＰ認証に必要な情報（以下、認証情報という）が保持されており、出力装置２０から自由にアクセスされる。すなわち、ＴＭＤＳレシーバ１２は、出力装置２０からのＨＤＣＰ認証要求を受信すると、メモリ１５内の認証情報を抽出してＤＤＣバス３２を介して出力装置２０へ送信する処理を行う。前述したように、ＨＤＣＰ認証の際には、表示装置１０が不正な機器でないことを認証した後、初めて出力機器２０からの暗号化送信が可能となる。
【００４２】
本発明の主たる特徴部分であるＣＰＵ１４及びアクセス監視手段１６の動作例について説明する。表示装置１０は、表示装置１０を操作する操作入力手段であるリモコンなどからの操作入力信号を受信するための受信部（図示せず）を備え、待機時等において、この受信部を制御するＣＰＵ１４には常に電力（待機電力）が供給されている。アクセス監視手段１６は、ＣＰＵ１４により制御され、出力装置２０からのＨＤＣＰ認証要求に伴うＤＤＣバス３２へのアクセスを監視する。なお、実際にはＣＰＵ１４がアクセス監視手段１６として機能するが、説明のためＣＰＵ１４とは別の手段として図示している。
【００４３】
ＨＤＭＩ／ＤＶＩ規格においては、ＨＤＣＰ認証を行うことが規定されているため、出力装置２０は、映像・音声信号の送信前に、ＨＤＣＰ認証のためにＤＤＣバス３２にアクセスして表示装置１０から認証情報を取得する必要がある。従って、表示装置１０においてＤＤＣバス３２へのアクセスを監視することで、ＴＭＤＳレシーバ１２への電力供給を制御することが可能となる。
【００４４】
表示装置１０の待機時等において、アクセス監視手段１６によりＤＤＣバス３２へのアクセスを監視する。このときＴＭＤＳレシーバ１２への電力供給は停止あるいは制限されているものとする。例えば、出力装置２０が起動されると、ＨＤＣＰ認証要求がＤＤＣバス３２を介して表示装置１０へ送信される。このＤＤＣバス３２へのアクセスをアクセス監視手段１６が検知すると、ＣＰＵ１４がＴＭＤＳレシーバ１２へ電力供給を開始するように制御する。
【００４５】
また、ＣＰＵ１４はタイマ機能を備え、ＤＤＣバス３２へのアクセスが停止してからの経過時間をカウントする。ＣＰＵ１４は、ＤＤＣバス３２へのアクセスが所定時間ないと判断した場合、ＴＭＤＳレシーバ１２への電力供給を停止あるいは制限するように制御する。以後、常にＤＤＣバス３２へのアクセスを監視し、アクセスの有無に応じてＴＭＤＳレシーバ１２への電力供給を制御する。
【００４６】
ＴＭＤＳレシーバ１２は、ＤＤＣバス３２へのアクセスが検知され、電力供給が開始された場合、ＨＤＣＰ認証要求に基づいた表示装置１０の認証処理後に、デジタル信号転送バス３１を介して映像信号を受信する。すなわち、ＴＭＤＳトランスミッタ２２は、表示装置１０によりＤＤＣバス３２へのアクセスが検知され、ＴＭＤＳレシーバ１２への電力供給が開始された場合、ＨＤＣＰ認証要求に基づいた表示装置１０の認証処理後に、デジタル信号転送バス３１を介して映像信号を送信する。
【００４７】
このように、ＨＤＭＩ／ＤＶＩ等のデジタル接続時において、ＤＤＣバスへのアクセスを監視し、ＤＤＣバスへのアクセスの有無に応じて、ＴＭＤＳレシーバへの電力供給を制御できるため、待機時などにおいてＴＭＤＳレシーバに電源を入れておかなくてもよく、消費電力を低減して省エネ化を図ることができる。
【００４８】
図２は、図１に示した表示システムによる電力制御処理の流れの一例を説明するためのフロー図である。本例においては、ＴＭＤＳレシーバ１２に電力供給されていない状態から説明する。まず、表示装置１０は、ＨＤＣＰ認証要求に伴うＤＤＣバス３２へのアクセスがあったかどうかを判定し（ステップＳ１）、ＤＤＣバス３２へのアクセスがあった場合（ＹＥＳの場合）、ＴＭＤＳレシーバ１２への電力供給を開始する（ステップＳ２）。また、ステップＳ１において、ＤＤＣバス３２へのアクセスがない場合（ＮＯの場合）、ステップＳ１で待機状態に移行し、ＤＤＣバス３２へのアクセスを監視する。
【００４９】
次に、表示装置１０は、ＤＤＣバス３２へのアクセスが停止したかどうかを判定し（ステップＳ３）、ＤＤＣバス３２へのアクセスが停止した場合（ＹＥＳの場合）、アクセス停止後からの経過時間をカウントする（ステップＳ４）。また、ステップＳ３において、ＤＤＣバス３２へのアクセスが停止していない場合（ＮＯの場合）、ステップＳ３で待機状態に移行し、ＤＤＣバス３２へのアクセス状態を監視する。
【００５０】
次に、表示装置１０は、ＤＤＣバス３２へのアクセス停止後から所定時間経過したかどうかを判定し（ステップＳ５）、所定時間経過した場合（ＹＥＳの場合）、ＴＭＤＳレシーバ１２への電力供給を停止あるいは制限し（ステップＳ６）、ステップＳ１に戻り、ＤＤＣバス３２へのアクセス状態を監視する。
【００５１】
一方、ステップＳ５において、所定時間経過していない場合（ＮＯの場合）、ＤＤＣバス３２へのアクセスがあったかどうかを判定し（ステップＳ７）、ＤＤＣバス３２へのアクセスがあった場合（ＹＥＳの場合）、ステップＳ３に戻り処理を繰り返す。また、ステップＳ７において、ＤＤＣバス３２へのアクセスがない場合（ＮＯ場合）、ステップＳ５に戻り処理を繰り返す。
【００５２】
以上説明したように、本発明によれば、ＨＤＭＩ／ＤＶＩ等のデジタル接続時において、ＤＤＣバスなどの低速バスへのアクセスを監視し、低速バスへのアクセスの有無に応じて、受信手段（ＴＭＤＳレシーバ）への電力供給を制御できるため、待機時などにおいて受信手段に電源を入れておかなくてもよく、消費電力を低減して省エネ化を図ることができる。
【図面の簡単な説明】
【００５３】
【図１】本発明の一実施形態に係る表示システムの構成例を示すブロック図である。
【図２】図１に示した表示システムによる電力制御処理の流れの一例を説明するためのフロー図である。
【図３】特許文献１に記載の従来の送受信システムの構成例を示すブロック図である。
【符号の説明】
【００５４】
１０…表示装置、１１，２１…ＨＤＭＩコネクタ、１２…ＴＭＤＳレシーバ、１３，２３…映像処理部、１４，２４…ＣＰＵ、１５…メモリ、１６…アクセス監視手段、１７…表示部、２０…出力装置、２２…ＴＭＤＳトランスミッタ、２５…記録媒体、３０…デジタル伝送路（ＨＤＭＩケーブル）、３１…デジタル信号転送バス、３２…ＤＤＣバス。
【図１】
0004799254.tif 000002
【図２】
0004799254.tif 000003
【図３】
0004799254.tif 000004